(57)【要約】      （修正有）【課題】キャビテーション効果を利用した金型洗浄用の反転洗浄機において、短時間で洗浄できる洗浄器を提供する。【解決手段】洗浄対象物が収容される流体収容空間Ｙ６を中にして流体収容空開Ｙ４，Ｙ５側とＹ７，Ｙ８側に形成される閉回路のそれぞれの末端に存在する流体押しのけ要素１ｇが引き起こす押し引き動作によりＹ６の中で頻繁にキャビテーションやウォーターハンマーが起こり、付着物が剥がれる。【選択図】図１
0003160860.tif 000002
【実用新案登録請求の範囲】
【請求項１】
（イ）ダブルアクションポンプから逆流防止弁体（１ａ）を取り除きスプリットマニホールド（１ｂ）を取り付けた結果、２系統の貫通空間が形成された往復アクチュエーター（１ｃ）を作る。                                                      ［図  ３］
（ロ）１系統の１口が入口側シャットオフバルブ（１ｈ）と接続関係を持ち流体収容空間（Ｙ４）を、残る１系統の１口が出口側シャットオフバルブ（１ｊ）または出口側圧力リリーフバルブ（１ｋ）と接続関係を持ち流体収容空間（Ｙ８）を形成する。                                                                                ［図  ４］
（ハ）何れのバルブとも接続関係を持たない往復アクチュエーター（１ｃ）の２口はそれぞれ流体収容空間（Ｙ５）（Ｙ７）を持つ配管やホースにより洗浄対象物（１ｉ）の流体収容空間（Ｙ６）の口と接続関係を持つ。                              ［図  ５］
（ニ）流体収容空間（Ｙ４＋Ｙ５＋Ｙ６＋Ｙ７＋Ｙ８）に洗浄流体を満たし、バルブ（１ｈ）（１ｊまたは１ｋ）を閉じ、往復アクチュエーター（１ｃ）を作動させたとき、（Ｙ４）から（Ｙ８）方向に向かう流れと（Ｙ８）から（Ｙ４）方向に向かう流れが交互に生じ、その反転流で洗浄する装置。
【請求項２】
［請求項１］記載の洗浄する方法と装置に於いて、
（イ）入口側シャットオフバルブ（１ｈ）の残りの口に流体送り込みポンプ（１ｆ）を接続する。                                                            ［図  １］
（ロ）バルブ（１ｈ）（１ｊまたは１ｋ）が開くときに、洗浄流体は流体収容空間（Ｙ３）から入り、（Ｙ４＋Ｙ５＋Ｙ６＋Ｙ７＋Ｙ８）を経て（Ｙ９）に溢れ出る工程と、
（ハ）同じく閉じるときに、流体収容空間（Ｙ４＋Ｙ５＋Ｙ６＋Ｙ７＋Ｙ８）の閉回路のなかで、流体収容空間（Ｙ４）から（Ｙ８）方向に向かう流れと（Ｙ８）から（Ｙ４）方向に向かう流れが交互に生じる工程を、
（ニ）（ロ）→（ハ）→（ロ）→（ハ）と交互に繰り返すようタイマー制御する装置。                                                                      ［図  ２］
【考案の詳細な説明】
【技術分野】
【０００１】本考案は配管の内壁に付着した汚れを洗浄する装置に関するものである。
【背景技術】
【０００２】ここでは技術分野を代表する例として容器内壁や配管内壁に付着堆積した汚れの洗浄装置に関して述べる。例えば鋳造業や射出成型機に用いる金型には冷却水を通水する配管が廻らされているがその内壁にシリカ、カルシウム、鉄錆びなどが宿命的に付着し堆積するうらみがある。堆積物は管内径を狭め通水量不足をもたらし、また正常な熱伝達を阻害し熱交換効率を著しく減少させる。その放置は例えば射出成型に於いてプラスチック製品の不良品発生につながる。そこで効果的な管内洗浄が求められる。しかし管内堆積物の除去には困難が伴う。その理由は金型が容易に分解できる構造ではなくまたその冷却水通水配管が細いのみならず長く曲がりくねっているせいである。ブラシ状のものが挿入しにくいので物理的な接触による清掃が困難で、また管壁にノズルから高圧で洗浄液を噴射させる方法も困難である。そこで化学薬品を通水して堆積物との化学反応を起して剥離を促す洗浄方法に依存する場合が多くなる。しかし化学薬品は洗浄の都度消費されるランニングコストを伴うものであるのみならず使用後にＰＨ調整の手間や産業廃棄物としての処理コストを強いられるものでもある。そこで基本的に水だけで強力に洗浄できる洗浄方法や装置が求められており、可能な限り水だけで洗浄し、それでも困難なケースに限り化学薬品を用いた洗浄にも用いることができることが理想的であると結論づけられる。
ここで水だけで洗浄できるとされる従来の配管洗浄機について述べる。当該装置は反転洗浄方式であり接液部は金属製である。３０秒ほどの往きの流れで水を間欠的に圧縮空気と合流させて配管内壁に送り込む工程と、同様に３０秒ほどのポンプの自吸力を伴う戻しの流れの工程を交互に繰り返す装置である。流れが反転する際にキャビテーションを発生させ付着物の剥離を誘発しようとする考え方である。大雑把に言えば電動ポンプと４ウェイバルブをタイマーで切替える装置である。当該装置の課題は以下の通りである。
【考案の概要】
【考案が解決しようとする課題】
【０００３】第１の課題は金型冷却水配管の洗浄目的に用いられるとき、反転から次の反転までの３０秒という反転時間が長いことである。その結果満足できる洗浄結果が得られるまでに時間が掛かり過ぎることである。【０００４】第２の課題は反転洗浄機が金属製であるため、特に酸などの洗浄流体に対応できない点である。酸を含む洗浄液は多用されておりプラスチックの機種の開発が急務である。
【課題を解決するための手段】
【０００５】課題［０００３］を解決する手段について述べる。
［図  ３］に示すようにダブルアクションポンプから逆流防止弁体（１ａ）を取り除きスプリットマニホールド（１ｂ）を取り付け２系統の貫通する流体収容空間を形成した部分から構成される往復アクチュエーター（１ｃ）を作る。
［図  ４］に示すように１系統の一方の口に流体入口側シャットオフバルブ（１ｈ）を取り付けて流体収容空間（Ｙ４）を、また他系統の一方の口に流体出口側シャットオフバルブ（１ｊ）ないしは［図  ６］に示すように流体出口側圧力リリーフバルブ（１ｋ）を取り付けて流体収容空間（Ｙ８）を形成する。
［図  ５］に示すように何れのバルブとも接続関係を持たない口は流体収容空間（Ｙ５）（Ｙ７）を持つホースやパイプにより洗浄対象物（１ｉ）の流体収容空間（Ｙ６）の流体出入口と接続する。
流体収容空間（Ｙ４＋Ｙ５＋Ｙ６＋Ｙ７＋Ｙ８）に洗浄流体を満たした後にバルブ（１ｈ）（１ｊまたは１ｋ）を閉じることで閉回路となる。
ここで往復アクチュエーター（１ｃ）を動作させると、流体収容空開（Ｙ４）を出発地点とする洗浄流体は洗浄対象物（１ｉ）の流体収容空間（Ｙ６）を経て流体収容空間（Ｙ８）に達し、次に（Ｙ８）を出発地点とする流体は（Ｙ６）を経て空間（Ｙ４）に達する。これが繰り返されることで流体収容空間（Ｙ６）内壁を頻繁に行き来し、そこで発生するウォーターハンマーやキャビテーションにより付着物が剥がれる。【０００６】ここで、流体収容空間（Ｙ４＋Ｙ５＋Ｙ６＋Ｙ７＋Ｙ８）で汚れてゆく洗浄流体を入れ替える手段について述べる。
流体入口側シャットオフバルブ（１ｈ）に［図  １］に示すように流体送り込みポンプ（１ｆ）を接続する。
入れ替え手段は、流体入口側シャットオフバルブ（１ｈ）をタイマー制御で一定時間毎に開閉制御する方法で行うことである。
開いたときにバルブ（１ｊまたは１ｋ）も開いていれば流体が流体収容空間（Ｙ４＋Ｙ５＋Ｙ６＋Ｙ７＋Ｙ８）を越えて流体収容空間（Ｙ９）側に溢れ出ることとなる。
また閉じたときに流体収容空間（Ｙ４＋Ｙ５＋Ｙ６＋Ｙ７＋Ｙ８）が閉回路になり、洗浄対象物（１ｉ）の流体収容空間（Ｙ６）が洗浄される。【０００７】［０００４］は接液材質を課題としている。本特許請求の構成要素は往復アクチュエーター（１ｃ）たるダブルアクションポンプ、入口側シャットオフバルブ（１ｈ）、出口側シャットオフバルブ（１ｊ）または出口側圧力リリーフバルブ（１ｋ）、空間（Ｙ５）及び（Ｙ７）と非常に少なく、何れも樹脂化されている。
【考案の効果】
【０００８】流体収容空間（Ｙ４＋Ｙ５＋Ｙ６＋Ｙ７＋Ｙ８）に流体を満たした後にバルブ（１ｈ）（１ｊまたは１ｋ）を閉じ往復アクチュエーター（１ｃ）を動作させたときに、閉じられた流体収容空間（Ｙ４＋Ｙ５＋Ｙ６＋Ｙ７＋Ｙ８）の両端（Ｙ４）（Ｙ８）に流体押しのけ要素（１ｇ）が存在し、またそれらは一本のシャフトに結合されているお陰で流体収容空間（Ｙ４）と（Ｙ８）にはほぼ等しい流体置換量の反転流が生まれる。
一方の流体押しのけ要素（１ｇ）が流体収容空間（Ｙ４）に流体を押し込む工程のとき、それと同期して他方の流体押しのけ要素（１ｇ）が流体収容空間（Ｙ８）に流体を吸い込む工程となるわけである。
本来の姿がダブルアクションポンプである往復アクチュエーター（１ｃ）の往復速度はこの場合、流体収容空間同士（Ｙ４）（Ｙ８）を結合する流体収容空間（Ｙ５）（Ｙ６）（Ｙ７）の流体通路や流体の粘度などに影響される。しかし水相当の粘度で（Ｙ５）（Ｙ６）（Ｙ７）が短距離でフルボアだとしたら少なくとも毎秒数回は作動するのが通常である。この特徴によって流体収容空間（Ｙ４＋Ｙ５＋Ｙ６＋Ｙ７＋Ｙ８）に頻繁に生ずるウォーターハンマー現象やキャビテーション現象により悠長に反転する従来の反転洗浄機と異なる短時間の洗浄が可能となる。
【図面の簡単な説明】
【０００９】
【図１】［請求項２］の実施形態に於いて流体入替工程である。
【図２】［請求項２］の実施形態に於いて洗浄工程である。
【図３】［請求項１］の製造手順の１である。
【図４】［請求項１］の製造手順の２である。
【図５】［請求項１］の製造手順の３である。
【図６】［請求項２］の実施形態に於いて流体入替工程である。
【図７】［請求項２］の実施形態に於いて洗浄工程で出口側圧力リリーフバルブが閉じている図である。
【図８】［請求項２］の実施形態に於いて洗浄工程で出口側圧力リリーフバルブが開いている図である。
【図９】［請求項１］製造手順の１に於いて異なるスプリットマニホールドを付けた実施形態である。
【図１０】［請求項１］に於いて往復アクチュエーター（１ｃ）を横に寝かせた実施形態である。
【考案を実施するための形態】
【００１０】以下図１に基づいて説明する。外気混入用に逆流防止弁（１ｅ）とフローコントロールバルブ（１ｄ）を取り付けている。流体収容空間（Ｙ４＋Ｙ５＋Ｙ６＋Ｙ７＋Ｙ８）の流体を全て液体とせず、液体と気体の混合物とした方が、洗浄効果が高くなる効果を実現するものである。これは内側が汚れたコップにひたひたまで水を満たし手のひらで蓋をした状態で揺すっても汚れは落ちず水を半分くらいにして同様にしたとき汚れが落ち易くなる理屈と同様である。流体送り込みポンプ（１ｆ）のサクション側はチーズなどで洗浄液に落とし込む配管と外気を吸う流量制御弁に分岐させるとよい。吸う外気量を洗浄に最適な空気混合割合に調整可能となる。
【００１１】図に於いて往復アクチュエーター（１ｃ）は空気駆動ダブルダイヤフラムポンプを転用しており流体送り込みポンプ（１ｆ）はそのまま空気駆動ダブルダイヤフラムポンプを用いている。元が空気駆動ダブルダイヤフラムポンプである往復アクチュエーター（１ｃ）の利点は仮に流体収容空間が完全に閉塞している場合にも圧力的にバランスして停止するのみで破損することがない点である。
往復アクチュエーター（１ｃ）は縦置きが望ましいので流体入口側シャットオフバルブ（１ｈ）は１系統の下側の口に、流体出口側バルブ（１ｊまたは１ｋ）は他系統の上側の口に接続するとよい。
これによって往復アクチュエーター（１ｃ）の２系統に於いて下側から上側へと空気抜きがし易くなる。
また［図１０］に示すように、往復アクチュエーター（１ｃ）を横に寝かせれば空気抜きの方法が容易になる。流体入口側シャットオフバルブ（１ｈ）と流体出口側バルブ（１ｊまたは１ｋ）の取付け制約がなくなるからである。
【００１２】酸をベースとする洗浄液が用いられる場合には、洗浄物の付着分と反応して発泡するような洗浄液がある。その場合入口側と出口側を両方とも長い間、シャットオフバルブとすると閉じられた空間（Ｙ４＋Ｙ５＋Ｙ６＋Ｙ７＋Ｙ８）の中で圧力が高まるおそれがある。そこで入口側だけシャットオフバルブとして出口側は圧力リリーフバルブ（１ｋ）とする。
【実施例】
【００１３】本考案は全ての動力源を圧縮空気とすることができる。ポンプ（１ｆ）、往復アクチュエーター（１ｃ）、入口側シャットオフバルブ（１ｈ）、出口側シャットオフバルブ（１ｊ）、出口側圧力リリーフバルブ（１ｋ）は圧縮空気で動作するものがある。これらを空気式コントローラーで作動させれば、国ごとに定格が異なる電気と違い、世界共通の動力源で作動させることができる。
【産業上の利用可能性】
【００１４】本考案は基本的に水だけで強力に洗浄することができる洗浄装置として生まれた。
可能な限り水だけで洗浄し、それでも困難なケースに限り化学薬品を用いた洗浄にも用いることができることを目標としたからである。増圧式往復アクチュエーター（１ｃ）などを使えば閉回路で洗浄する際に圧力を増すこともできる。それによって内壁に付着がひどい場合は往きの水圧で壊すこともできる。また樹脂接液タイプも可能とした。さらに［００１３］で述べたように完全に空気で作動するものも可能である。これが意味することは、本考案は防爆洗浄機であり、化学洗浄機でもあるということである。
【符号の説明】
【００１５】１ａ  逆流防止弁体
１ｂ  スプリットマニホールド
１ｃ  往復アクチュエーター
１ｄ  フローコントロールバルブ
１ｅ  逆流防止弁
１ｆ  流体送り込みポンプ
１ｇ  流体押しのけ要素
１ｈ  入口側シャットオフバルブ
１ｉ  洗浄対象物
１ｊ  出口側シャットオフバルブ
１ｋ  出口側圧力リリーフバルブ
１ｌ  流体容器
Ｙ１  サクション配管
Ｙ２  空気混合管
Ｙ３  流体供給管
Ｙ４  流体収容空間
（入口側シャットオフバルブ１ｈからこの系統の１ｃの口まで）
Ｙ５  流体収容空間
Ｙ６  流体収容空間
Ｙ７  流体収容空間
Ｙ８  流体収容空間
（出口側シャットオフバルブ１ｊまたは出口側圧力リリーフバルブ１ｋからこの系統の１ｃの口まで）
Ｙ９  デリバリー配管
【図１】
0003160860.tif 000003
【図２】
0003160860.tif 000004
【図３】
0003160860.tif 000005
【図４】
0003160860.tif 000006
【図５】
0003160860.tif 000007
【図６】
0003160860.tif 000008
【図７】
0003160860.tif 000009
【図８】
0003160860.tif 000010
【図９】
0003160860.tif 000011
【図１０】
0003160860.tif 000012
【手続補正書】
【提出日】平成22年1月8日(2010.1.8)
【手続補正１】
【補正対象書類名】明細書
【補正対象項目名】全文
【補正方法】変更
【補正の内容】
【考案の詳細な説明】
【技術分野】
【０００１】本考案は配管の内壁に付着した汚れを洗浄する装置に関するものである。
【背景技術】
【０００２】ここでは技術分野を代表する例として容器内壁や配管内壁に付着堆積した汚れの洗浄装置に関して述べる。例えば鋳造業や射出成型機に用いる金型には冷却水を通水する配管が廻らされているがその内壁にシリカ、カルシウム、鉄錆びなどが宿命的に付着し堆積するうらみがある。堆積物は管内径を狭め通水量不足をもたらし、また正常な熱伝達を阻害し熱交換効率を著しく減少させる。その放置は例えば射出成型に於いてプラスチック製品の不良品発生につながる。そこで効果的な管内洗浄が求められる。
しかし管内堆積物の除去には困難が伴う。その理由は金型が容易に分解できる構造ではなくまたその冷却水通水配管が細いのみならず長く曲がりくねっているせいである。
ブラシ状のものが挿入しにくいので物理的な接触による清掃が困難で、また管壁にノズルから高圧で洗浄液を噴射させる方法も困難である。そこで化学薬品を通水して堆積物との化学反応を起して剥離を促す洗浄方法に依存する場合が多くなる。しかし化学薬品は洗浄の都度消費されるランニングコストを伴うものであるのみならず使用後にＰＨ調整の手間や産業廃棄物としての処理コストを強いられるものでもある。そこで基本的に水だけで強力に洗浄できる洗浄装置が求められており、可能な限り水だけで洗浄し、それでも困難なケースに限り化学薬品を用いた洗浄にも用いることができることが理想的であると結論づけられる。
ここで水だけで洗浄できるとされる従来の配管洗浄機について述べる。当該装置は反転洗浄方式であり接液部は金属製である。３０秒ほどの往きの流れで水を間欠的に圧縮空気と合流させて配管内壁に送り込む工程と、同様に３０秒ほどのポンプの自吸力を伴う戻しの流れの工程を交互に繰り返す装置である。流れが反転する際にキャビテーションを発生させ付着物の剥離を誘発しようとする考え方である。大雑把に言えば電動ポンプと４ウェイバルブをタイマーで切替える装置である。当該装置の課題は以下の通りである。
【考案の概要】
【考案が解決しようとする課題】
【０００３】第１の課題は金型冷却水配管の洗浄目的に用いられるとき、反転から次の反転までの３０秒という反転時間が長いことである。その結果満足できる洗浄結果が得られるまでに時間が掛かり過ぎることである。【０００４】第２の課題は反転洗浄機が金属製であるため、特に酸などの洗浄流体に対応できない点である。酸を含む洗浄液は多用されておりプラスチックの機種の開発が急務である。
【課題を解決するための手段】
【０００５】課題［０００３］を解決する手段について述べる。
［図３］に示すようにダブルアクションポンプから逆流防止弁体（１ａ）を取り除きスプリットマニホールド（１ｂ）を取り付け２系統の貫通する流体収容空間を形成した往復アクチュエーター（１ｃ）を作る。
［図４］に示すように１系統の一方の口に流体入口側シャットオフバルブ（１ｈ）を取り付けて第４流体収容空間（Ｙ４）を、また他系統の一方の口に流体出口側シャットオフバルブ（１ｊ）ないしは［図６］に示すように流体出口側圧力リリーフバルブ（１ｋ）を取り付けて第８流体収容空間（Ｙ８）を形成する。
［図５］に示すように何れのバルブとも接続関係を持たない２口はホースやパイプなどで構成される第５流体収容空間（Ｙ５）及び第７流体収容空間（Ｙ７）により洗浄対象物（１ｉ）の第６流体収容空間（Ｙ６）の２つの流体出入口と接続する。
第４流体収容空間（Ｙ４）と第５流体収容空間（Ｙ５）と第６流体収容空間（Ｙ６）と第７流体収容空間（Ｙ７）と第８流体収容空間（Ｙ８）からなる第４８流体収容空間に洗浄流体を満たした後にバルブ（１ｈ）（１ｊまたは１ｋ）を閉じると第４８流体収容空間は閉回路となる。
ここで往復アクチュエーター（１ｃ）を動作させると、すなわち［図１］に示す流体押しのけ要素（１ｇ）が左側に進むのが初期状態であったとして動作を始めると、第４流体収容空間（Ｙ４）を出発地点とする洗浄流体は、第５流体収容空間（Ｙ５）を経て、洗浄対象物（１ｉ）の第６流体収容空間（Ｙ６）を経て、第７流体収容空間（Ｙ７）を経て、第８流体収容空間（Ｙ８）に達し、次に流体押しのけ要素（１ｇ）が右側に進むとき第８流体収容空間（Ｙ８）を出発地点とする流体は、第７流体収容空間（Ｙ７）を経て、第６流体収容空間（Ｙ６）を経て、第５流体収容空間（Ｙ５）を経て、第４流体収容空間（Ｙ４）に達する。これが繰り返されることで第６流体収容空間（Ｙ６）内壁を頻繁に行き来し、そこで発生するウォーターハンマーやキャビテーションにより付着物が剥がれる。【０００６】ここで、第４８流体収容空間で汚れてゆく洗浄流体を入れ替える手段について述べる。
流体入口側シャットオフバルブ（１ｈ）に［図１］に示すように流体送り込みポンプ（１ｆ）を接続する。入れ替え手段は、流体入口側シャットオフバルブ（１ｈ）を一定時間毎に開くことである。開いたときにバルブ（１ｊまたは１ｋ）も開いていれば流体が第４８流体収容空間を越えてデリバリー配管（Ｙ９）側に溢れ出ることとなる。また閉じたときに第４８流体収容空間が閉回路になり、洗浄対象物（１ｉ）の第６流体収容空間（Ｙ６）が洗浄される。【０００７】［０００４］は接液材質を課題としている。本考案の構成要素は往復アクチュエーター（１ｃ）たるダブルアクションポンプ、入口側シャットオフバルブ（１ｈ）、出口側シャットオフバルブ（１ｊ）または出口側圧力リリーフバルブ（１ｋ）、ホースやパイプなどで構成される第５流体収容空間（Ｙ５）及び第７流体収容空間（Ｙ７）と非常に少なく、何れも樹脂化されている。
【考案の効果】
【０００８】第４８流体収容空間に流体を満たした後にバルブ（１ｈ）（１ｊまたは１ｋ）を閉じ往復アクチュエーター（１ｃ）を動作させたときに、閉じられた第４８流体収容空間の両端（Ｙ４）（Ｙ８）に流体押しのけ要素（１ｇ）が存在し、またそれらは一本のシャフトに結合されているお陰で流体収容空間（Ｙ４）と（Ｙ８）にはほぼ等しい流体置換量の反転流が生まれる。一方の流体押しのけ要素（１ｇ）が第４流体収容空間（Ｙ４）に流体を押し込む工程のとき、それと同期して他方の流体押しのけ要素（１ｇ）が第８流体収容空間（Ｙ８）に流体を吸い込む工程となるわけである。
本来の姿がダブルアクションポンプである往復アクチュエーター（１ｃ）の往復速度はこの場合、第４流体収容空間（Ｙ４）及び第８流体収容空間（Ｙ８）同士を結合する第５流体収容空間（Ｙ５）、第６流体収容空間（Ｙ６）、第７流体収容空間（Ｙ７）の流体通路や流体の粘度などに影響される。しかし水相当の粘度で第５流体収容空間（Ｙ５）、第６流体収容空間（Ｙ６）、第７流体収容空間（Ｙ７）の距離が短くフルボアだとしたら少なくとも毎秒数回は作動するのが通常である。この特徴によって第４８流体収容空間に頻繁に生ずるウォーターハンマー現象やキャビテーション現象により悠長に反転する従来の反転洗浄機と異なる短時間の洗浄が可能となる。
【図面の簡単な説明】
【０００９】
【図１】［請求項２］の実施形態に於いて流体入替工程である。
【図２】［請求項２］の実施形態に於いて洗浄工程である。
【図３】［請求項１］の製造手順の１である。
【図４】［請求項１］の製造手順の２である。
【図５】［請求項１］の製造手順の３である。
【図６】［請求項２］の実施形態に於いて流体入替工程である。
【図７】［請求項２］の実施形態に於いて洗浄工程で出口側圧力リリーフバルブが閉じている図である。
【図８】［請求項２］の実施形態に於いて洗浄工程で出口側圧力リリーフバルブが開いている図である。
【図９】［請求項１］製造手順の１に於いて異なるスプリットマニホールドを付けた実施形態である。
【図１０】［請求項１］に於いて往復アクチュエーター（１ｃ）を横に寝かせた実施形態である。
【考案を実施するための形態】
【００１０】以下図１に基づいて説明する。外気混入用に逆流防止弁（１ｅ）とフローコントロールバルブ（１ｄ）を取り付けている。第４８流体収容空間の流体を全て液体とせず、液体と気体の混合物とした方が洗浄効果が高くなる。これは内側が汚れたコップにひたひたまで水を満たし手のひらで蓋をした状態で揺すっても汚れは落ちず、水を半分くらいにして同様にしたとき汚れが落ち易くなる理屈と同様である。流体送り込みポンプ（１ｆ）のサクション側はチーズなどで洗浄液に落とし込む配管と外気を吸う流量制御弁に分岐させるとよい。吸う外気量を洗浄に最適な空気混合割合に調整可能となる。
【００１１】図に於いて往復アクチュエーター（１ｃ）は空気駆動ダブルダイヤフラムポンプを転用しており流体送り込みポンプ（１ｆ）はそのまま空気駆動ダブルダイヤフラムポンプを用いている。元が空気駆動ダブルダイヤフラムポンプである往復アクチュエーター（１ｃ）の利点は仮に流体収容空間が完全に閉塞している場合にも圧力的にバランスして停止するのみで破損することがない点である。
往復アクチュエーター（１ｃ）は縦置きが望ましいので流体入口側シャットオフバルブ（１ｈ）は１系統の下側の口に、流体出口側バルブ（１ｊまたは１ｋ）は他系統の上側の口に接続するとよい。
これによって往復アクチュエーター（１ｃ）の２系統に於いて下側から上側へと空気抜きがし易くなる。
また［図１０］に示すように、往復アクチュエーター（１ｃ）を横に寝かせれば空気抜きの方法が容易になる。流体入口側シャットオフバルブ（１ｈ）と流体出口側バルブ（１ｊまたは１ｋ）の取付け制約がなくなるからである。
【００１２】酸をベースとする洗浄液が用いられる場合には、洗浄物の付着分と反応して発泡するような洗浄液がある。その場合入口側と出口側を両方とも長い間、シャットオフバルブとすると閉じられた空間である第９流体収容空間の中で圧力が高まるおそれがある。
そこで入口側だけシャットオフバルブとして出口側は圧力リリーフバルブ（１ｋ）とする。
【実施例】
【００１３】本考案は全ての動力源を圧縮空気とすることができる。ポンプ（１ｆ）、往復アクチュエーター（１ｃ）、入口側シャットオフバルブ（１ｈ）、出口側シャットオフバルブ（１ｊ）、出口側圧力リリーフバルブ（１ｋ）は圧縮空気で動作するものがある。これらを空気式コントローラーで作動させれば、国ごとに定格が異なる電気と違い、世界共通の動力源で作動させることができる。
【産業上の利用可能性】
【００１４】本考案は基本的に水だけで強力に洗浄することができる洗浄装置として生まれた。
可能な限り水だけで洗浄し、それでも困難なケースに限り化学薬品を用いた洗浄にも用いることができることを目標としたからである。増圧式往復アクチュエーター（１ｃ）などを使えば閉回路で洗浄する際に圧力を増すこともできる。それによって内壁に付着がひどい場合は往きの水圧で壊すこともできる。また樹脂接液タイプも可能とした。さらに［００１３］で述べたように完全に空気で作動するものも可能である。
これが意味することは、本考案は防爆洗浄機であり、化学洗浄機でもあるということである。
【符号の説明】
【００１５】１ａ  逆流防止弁体
１ｂ  スプリットマニホールド
１ｃ  往復アクチュエーター
１ｄ  フローコントロールバルブ
１ｅ  逆流防止弁
１ｆ  流体送り込みポンプ
１ｇ  流体押しのけ要素
１ｈ  入口側シャットオフバルブ
１ｉ  洗浄対象物
１ｊ  出口側シャットオフバルブ
１ｋ  出口側圧力リリーフバルブ
１ｌ  流体容器
Ｙ１  サクション配管である第１流体収容空間
Ｙ２  空気混合管である第２流体収容空間
Ｙ３  流体供給管である第３流体収容空間
Ｙ４  第４８流体収容空間の一部である第４流体収容空間
Ｙ５  第４８流体収容空間の一部である第５流体収容空間
Ｙ６  第４８流体収容空間の一部である第６流体収容空間
Ｙ７  第４８流体収容空間の一部である第７流体収容空間
Ｙ８  第４８流体収容空間の一部である第８流体収容空間
Ｙ９  デリバリー配管である第９流体収容空間
【手続補正２】
【補正対象書類名】実用新案登録請求の範囲
【補正対象項目名】全文
【補正方法】変更
【補正の内容】
【実用新案登録請求の範囲】
【請求項１】
（イ）ダブルアクションポンプから逆流防止弁体（１ａ）を取り除きスプリットマニホールド（１ｂ）を取り付けることで２系統の貫通空間が形成された往復アクチュエーター（１ｃ）を得、  ［図３］
（ロ）当該往復アクチュエーター（１ｃ）に於いて、１系統目の貫通空間の１口が入口側シャットオフバルブ（１ｈ）と接続関係を持つことで第４流体収容空間（Ｙ４）を形成し、２系統目の貫通空間の１口が出口側シャットオフバルブ（１ｊ）または出口側圧力リリーフバルブ（１ｋ）と接続関係を持つことで第８流体収容空間（Ｙ８）を形成し、  ［図４］
（ハ）何れのバルブとも接続関係を持たない当該往復アクチュエーター（１ｃ）の貫通空間の１口は第５流体収容空間（Ｙ５）を持つ配管やホースにより、残る１口は第７流体収容空間（Ｙ７）を持つ配管やホースにより、洗浄対象物（１ｉ）の第６流体収容空間（Ｙ６）の２口と接続関係を持ち、  ［図５］
（ニ）第４流体収容空間（Ｙ４）と第５流体収容空間（Ｙ５）と第６流体収容空間（Ｙ６）と第７流体収容空間（Ｙ７）と第８流体収容空間（Ｙ８）からなる第４８流体収容空間に洗浄流体を満たし、バルブ（１ｈ）（１ｊまたは１ｋ）を閉じ、往復アクチュエーター（１ｃ）を作動させたとき、第４流体収容空間（Ｙ４）から第８流体収容空間（Ｙ８）側に向かう順流と第８流体収容空間（Ｙ８）から第４流体収容空間（Ｙ４）側に向かう逆流が交互に生じ、その反転流で洗浄する装置。
【請求項２】
［請求項１］記載の装置に於いて、
（イ）入口側シャットオフバルブ（１ｈ）の残りの口に流体送り込みポンプ（１ｆ）を接続し、  ［図１］
（ロ）バルブ（１ｈ）（１ｊまたは１ｋ）が開いたときに流体送り込みポンプ（１ｆ）により洗浄流体は第４８流体収容空間を越えてデリバリー配管（Ｙ９）に溢れ出る、すなわち洗浄流体が進む工程と、
（ハ）バルブ（１ｈ）（１ｊまたは１ｋ）が閉じたときに閉回路となる第４８流体収容空間のなかで、第４流体収容空間（Ｙ４）から第８流体収容空間（Ｙ８）側に向かう順流と第８流体収容空間（Ｙ８）から第４流体収容空間（Ｙ４）側に向かう逆流が交互に生じる、すなわち洗浄流体が第４８流体収容空間に留まりながらも反転している工程を、
（ニ）バルブ（１ｈ）（１ｊまたは１ｋ）が開く工程と閉じる工程を交互に作ることによって、前者のときに洗浄流体が置換され後者のときに反転洗浄を行うことを特徴とする装置。  ［図２］
【手続補正書】
【提出日】平成22年4月7日(2010.4.7)
【手続補正１】
【補正対象書類名】実用新案登録請求の範囲
【補正対象項目名】全文
【補正方法】変更
【補正の内容】
【実用新案登録請求の範囲】
【請求項１】
（イ）ダブルアクションポンプから逆流防止弁体（１ａ）を取り除き、スプリットマニホールド（１ｂ）を取り付けることで２系統の貫通空間が形成された往復アクチュエーター（１ｃ）を得、
（ロ）当該往復アクチュエーター（１ｃ）の１系統目の貫通空間の１口が入口側シャットオフバルブ（１ｈ）と接続関係を持つことで第４流体収容空間（Ｙ４）を形成し、
（ハ）同様に２系統目の貫通空間の１口が出口側シャットオフバルブ（１ｊ）と接続関係を持つことで第８流体収容空間（Ｙ８）を形成し、
（二）１系統目の貫通空間の残りの１口は第５流体収容空間（Ｙ５）を持つ配管やホースにより洗浄対象物（１ｉ）の第６流体収容空間（Ｙ６）の１口と接続関係を持ち、
（ホ）２系統目の貫通空間の残りの１口は第７流体収容空間（Ｙ７）を持つ配管やホースにより、洗浄対象物（１ｉ）の第６流体収容空間（Ｙ６）の残りの１口と接続関係を持ち、
（ヘ）第４流体収容空間（Ｙ４）と第５流体収容空間（Ｙ５）と第６流体収容空間（Ｙ６）と第７流体収容空間（Ｙ７）と第８流体収容空間（Ｙ８）からなる第４８流体収容空間に洗浄流体を満たしたうえ入口側シャットオフバルブバルブ（１ｈ）及び出口側シャットオフバルブ（１ｊ）を閉じ、往復アクチュエーター（１ｃ）を作動させたとき、第４流体収容空間（Ｙ４）から第８流体収容空間（Ｙ８）側に向かう順流と第８流体収容空間（Ｙ８）から第４流体収容空間（Ｙ４）側に向かう逆流が交互に生じ、その反転流で洗浄する装置。
【請求項２】
請求項１記載の装置に於いて出口側シャットオフバルブ（１ｊ）を出口側圧力リリーフバルブ（１ｋ）に換え、第８流体収容空間（Ｙ８）と逆側に開くように取り付けたことを特徴とする装置。
【請求項３】
請求項１または２記載の装置に於いて、
（イ）入口側シャットオフバルブ（１ｈ）の残りの口に流体送り込みポンプ（１ｆ）を接続し、
（ロ）入口側シャットオフバルブバルブ（１ｈ）及び出口側シャットオフバルブ（１ｊ）または出口側圧力リリーフバルブ（１ｋ）が開いたときに洗浄流体は第４８流体収容空間を越えてデリバリー配管（Ｙ９）に溢れ出る、すなわち洗浄流体が進む工程と、
（ハ）入口側シャットオフバルブバルブ（１ｈ）及び出口側シャットオフバルブ（１ｊ）または出口側圧力リリーフバルブ（１ｋ）が閉じたときに閉回路となる第４８流体収容空間のなかで、第４流体収容空間（Ｙ４）から第８流体収容空間（Ｙ８）側に向かう順流と第８流体収容空間（Ｙ８）から第４流体収容空間（Ｙ４）側に向かう逆流が交互に生じる、すなわち洗浄流体が反転している工程を、
（ニ）入口側シャットオフバルブバルブ（１ｈ）及び出口側シャットオフバルブ（１ｊ）または出口側圧力リリーフバルブ（１ｋ）が開く工程と閉じる工程を交互に作ることによって、前者のときに洗浄流体が置換され後者のときに反転洗浄を行うことを特徴とする装置。
【手続補正２】
【補正対象書類名】手続補正書
【補正対象項目名】手続補正３
【補正方法】削除
【補正の内容】